(57)【要約】【課題】受光素子をＸ方向、Ｙ方向及びＺ方向に３次元調整してスレッドの受光素子取付面に２本の取付ネジで固定する際に、その３次元調整済みの受光素子を高精度に固定することを可能とする。【解決手段】受光素子１４が取り付けられた調整プレート１７とスレッド４の受光素子取付面２０との間に位置決め部材２３を配置し、この位置決め部材２３を受光素子取付面２０との間に形成されたスライドカム構造２８によって受光素子取付面２０に対してＺ方向に移動調整することで、受光素子取付面２０に対する調整プレート１７のＺ方向の位置決めを行う。【選択図】図１
2005228424.tif 000002
【特許請求の範囲】
【請求項１】
光学部品を取付本体に対して光軸方向と直交するＸ方向及びＹ方向と、光軸方向であるＺ方向との３次元調整後に固定する光学部品の取付装置において、
前記光学部品を前記取付本体に対して前記Ｘ方向、Ｙ方向及びＺ方向に３次元調整する調整プレートと、
該調整プレートと前記取付本体との間に介在されて、スライドカム構造によって該取付本体に対してＺ方向に移動調整され、該調整プレートの該取付本体に対する前記Ｚ方向の位置決めを行う位置決め部材とを備えた
ことを特徴とする光学部品の取付装置。
【請求項２】
前記スライドカム構造が、前記取付本体の電気部品取付面と前記調整プレートとの間に形成された一対の平行な斜面に構成されている
ことを特徴とする請求項１に記載の光学部品の取付装置。
【請求項３】
前記スライドカム構造が、前記取付本体の電気部品取付面と前記調整プレートとの間にラセン状に形成された一対の平行なラセン状斜面によって構成されている
ことを特徴とする請求項１に記載の光学部品の取付装置。
【請求項４】
前記調整プレートが前記取付本体に取り付けられた複数の取付ネジに対して前記Ｘ方向及びＹ方向に移動可能に挿通され、
前記位置決め部材が複数の前記取付ネジによって前記調整プレートと共締めされて前記取付本体に固定される
ことを特徴とする請求項２又は請求項３に記載の光学部品の取付装置。
【請求項５】
前記複数の取付ネジが前記スライドカム構造の斜面に対して直角な方向から締結されることを特徴とする請求項４に記載の光学部品の取付装置。
【請求項６】
光ディスク、光磁気ディスク、その他の光学的記録媒体に光ビームを照射及び／又は受光する発光素子及び／又は受光素子としての光学素子を移動用取付本体に対して該光学素子の光軸方向と直交するＸ方向及びＹ方向と、光軸方向であるＺ方向との３次元調整後に固定する光ピックアップにおいて、
前記光学素子を前記移動用取付本体に対して前記Ｘ方向、Ｙ方向及びＺ方向に３次元調整する調整プレートと、
該調整プレートと前記移動用取付本体との間に介在されて、スライドカム構造によって前記移動用取付本体に対するＺ方向に移動調整され、該調整プレートの該移動用取付本体に対するＺ方向の位置決めを行う位置決め部材とを備えた
ことを特徴とする光ピックアップ。
【請求項７】
光学的記録媒体の半径方向へ移動されるスレッドに搭載された光ピックアップを備え、該光ピックアップの光ビームの発光素子及び／又は受光素子である光学素子を移動用取付本体に対して光軸方向と直交するＸ方向及びＹ方向と、光軸方向であるＺ方向との３次元調整後に固定する光ピックアップを備えた光ディスク装置において、
前記光学素子を前記移動用取付本体に対して前記Ｘ方向、Ｙ方向及びＺ方向に３次元調整する調整プレートと、
該調整プレートと前記移動用取付本体との間に介在されて、スライドカム構造によって前記移動用取付本体に対するＺ方向に移動調整され、該調整プレートの該移動用取付本体に対するＺ方向の位置決めを行う位置決め部材とを備えた
ことを特徴とする光ディスク装置。
【発明の詳細な説明】
【技術分野】
【０００１】
本発明は、光ディスク、光磁気ディスク、その他の光学的記録媒体にデータを記録及び／又は再生する光ディスクドライブ装置等の光ピックアップ等に適用される発光素子及び／又は受光素子等の光学部品をスレッド等の取付本体に取り付ける際に、該光学部品の光軸方向と直交するＸ方向及びＹ方向と、光軸方向であるＺ方向との３次元調整後に固定する光学部品の取付装置に関するものである。
【背景技術】
【０００２】
従来から、光ディスク、光磁気ディスク、その他の光学的記録媒体にデータを記録及び／又は再生する光ディスクドライブ装置では、光学的記録媒体の半径方向へ移動制御されるスレッド等の取付本体に光ピックアップを搭載している。この光ピックアップは半導体レーザ等の発光素子（発光用光学部品）から水平状に出射されたレーザビーム等の光ビームを反射プリズム（反射ミラー）によって垂直状に屈曲させて対物レンズに入射し、対物レンズによって光学的記録媒体の下面に収束させる。そして、その反射光を対物レンズ、反射プリズム等を介して受光素子（受光用光学部品）で受光することにより、光学的記録媒体に対するデータ（情報）の記録及び／又は再生を行っている。
【０００３】
この際、特に、受光素子等の光学部品をスレッドに取り付ける（組み立てる）際には、光学部品を光軸方向と直交する２方向であるＸ方向及びＹ方向（センターリング調整）と、光軸方向であるＺ方向（フォーカシング調整）との３次元調整しながら高精度に位置決めして取り付ける必要がある。
【０００４】
そこで、従来、光ディスク装置の光ピックアップにおける受光素子の光学ベースへの取付装置の公知例として、次のようなもの（例えば、特許文献１）が知られている。
これは、板バネからなる取付板の一端側である固定端を２本のネジで光学ベースに固定し、その取付板の他端側である可動端を１本の調整ネジによりその取付板の可撓性（バネ力）を利用して光学ベースに対する遠近方向に揺動（スイング運動）可能に取り付け、その取付板の背面側には一対の押圧アーム（バネアーム）を一体に形成している。
【０００５】
そして、クランプ用板上にクランプされた受光素子を一対の押圧アームのバネ力を利用して取付板の背面に押圧させた状態に取り付けて、その受光素子を一対の押圧アームの内側で取付板に対して光軸方向と直交するＸ方向とＹ方向に移動調整する。この後、１本の調整ネジによって取付板の可動端を固定端を支点にして光学ベースに対する遠近方向に揺動（スイング運動）調整することによって、受光素子を光軸方向であるＺ方向に沿って揺動調整する。そして、最後に、受光素子のクランプ用板を取付板に接着剤で接着して固定するようにしたものである。
【特許文献１】特開２００３−２５７０６６号公報
【発明の開示】
【発明が解決しようとする課題】
【０００６】
解決しようとする課題は、取付板の背面に一対の押圧アームのバネ力を利用して押圧させた受光素子をその取付板の背面でＸ方向及びＹ方向に移動調整した後に、１本の調整ネジによって取付板の可動端を固定端を支点にして揺動（スイング運動）調整して、受光素子をＺ方向に沿って揺動調整する際に、受光素子が一対の押圧アームの内側でＸ方向、Ｙ方向に位置ずれし易い上に、取付板をＺ方向に沿って揺動調整することによって受光素子をＺ方向に移動調整する方法では、受光素子を光軸方向に高精度に平行移動させることができない。従って、受光素子のＸ方向、Ｙ方向及びＺ方向の３次元調整を高精度に行うことができないと言う点である。また、取付板の固定端を一対のネジで光学ベースに固定し、取付板の可動端を１本の調整ネジで光学ベースにＺ方向に移動可能に構成し、取付板の背面側に一体に形成した一対の押圧アームによって受光素子のクランプ用板を取付板の背面に押圧して、受光素子を一対の押圧アームの内側で取付板に対してＸ方向、Ｙ方向に移動調整する構造は、取付板の外径寸法が著しく大きくなり、取付装置全体が大型化してしまうと言う点である。また、受光素子のＺ方向の調整後に、１本の調整ネジに緩みが発生すれば、受光素子のＺ方向の位置決めに狂いが生じてしまう点である。
【課題を解決するための手段】
【０００７】
本発明は、光学部品を取付本体に対して光軸方向と直交するＸ方向及びＹ方向と、光軸方向であるＺ方向との３次元調整後に固定する光学部品の取付装置において、前記光学部品を前記取付本体に対して前記Ｘ方向、Ｙ方向及びＺ方向に３次元調整する調整プレートと、該調整プレートと前記取付本体との間に介在されて、スライドカム構造によって該取付本体に対してＺ方向に移動調整され、該調整プレートの該取付本体に対する前記Ｚ方向の位置決めを行う位置決め部材とを備えたことを特徴とする光学部品の取付装置である。
【０００８】
また、本発明は、光ディスク、光磁気ディスク、その他の光学的記録媒体に光ビームを照射及び／又は受光する発光素子及び／又は受光素子としての光学素子を移動用取付本体に対して該光学素子の光軸方向と直交するＸ方向及びＹ方向と、光軸方向であるＺ方向との３次元調整後に固定する光ピックアップにおいて、前記光学素子を前記移動用取付本体に対して前記Ｘ方向、Ｙ方向及びＺ方向に３次元調整する調整プレートと、該調整プレートと前記移動用取付本体との間に介在されて、スライドカム構造によって前記移動用取付本体に対するＺ方向に移動調整され、該調整プレートの該移動用取付本体に対するＺ方向の位置決めを行う位置決め部材とを備えたことを特徴とする光ピックアップである。
【０００９】
また、本発明は、光学的記録媒体の半径方向へ移動されるスレッドに搭載された光ピックアップを備え、該光ピックアップの光ビームの発光素子及び／又は受光素子である光学素子を移動用取付本体に対して光軸方向と直交するＸ方向及びＹ方向と、光軸方向であるＺ方向との３次元調整後に固定する光ピックアップを備えた光ディスク装置において、前記光学素子を前記移動用取付本体に対して前記Ｘ方向、Ｙ方向及びＺ方向に３次元調整する調整プレートと、該調整プレートと前記移動用取付本体との間に介在されて、スライドカム構造によって前記移動用取付本体に対するＺ方向に移動調整され、該調整プレートの該移動用取付本体に対するＺ方向の位置決めを行う位置決め部材とを備えたことを特徴とする光ディスク装置である。
【発明の効果】
【００１０】
本発明の光学部品の取付装置は、調整プレートによって光学部品や光学素子を取付本体や移動用取付本体に対してＸ方向、Ｙ方向及びＺ方向の３次元調整した後に、位置決め部材によって調整プレートの取付本体や移動用取付本体に対するＺ方向の位置決めを行うので、光学部品や光学素子のＸ方向、Ｙ方向及びＺ方向の調整をそれぞれ高精度に行うことができ、それでいて、光学部品や光学素子のＸ方向、Ｙ方向及びＺ方向の３次元調整後の固定を容易に行うことができるので、光学部品や光学素子のＸ方向、Ｙ方向及びＺ方向の調整を高精度に行える上に、設備の簡素化が容易になる。光学部品や光学素子を取付本体や移動用取付本体に対して位置決め部材によって固定する際の位置ずれが発生せず、信頼性の向上を計ることができる。調整プレートと取付本体との間に位置決め部材を挟み込んだ構造であるから、省スペース設計が可能であり、取付装置、光ピックアップ、光ディスク装置の小型化が可能であるという利点がある。
【発明を実施するための最良の形態】
【００１１】
位置決め部材によって調整プレートを簡単に位置決めするという目的を、取付本体の電気部品取付面と調整プレートとの間に形成された一対の平行な斜面によって構成されたスライドカム構造やその電気部品取付面と調整プレートとの間にラセン状に形成された一対のラセン状斜面によって構成されたスライドカム構造で実現した。
位置決め部材によって調整プレートを簡単に固定するという目的を、取付本体に取り付けられた複数の固定用ネジに調整プレートをＸ方向及びＹ方向に移動可能に挿通し、複数の固定用ネジにより位置決め部材を調整プレートと共締めして取付本体に固定する構造によって実現した。
【実施例１】
【００１２】
図１〜図６によって、本発明を光ディスク装置の光ピックアップの光学素子（光学部品）の取付装置に適用した実施例１について説明する。
図６は、光ディスク装置１の概要を示したものであって、スピンドルモータ２によって回転駆動される光ディスク（光磁気ディスクやその他の光学的記録媒体を含む）３の下部にスレッド（取付本体や移動用取付本体に相当）４が配置されていて、このスレッド４はガイド手段５で案内され、かつ、図示省略されたスレッド移送機構によって光ディスク３の半径方向に移送されるように構成されている。
【００１３】
そして、スレッド４に光ピックアップ７が搭載されていて、この光ピックアップ７の対物レンズ８は２軸アクチュエータ９によってフォーカシング駆動及びトラッキング駆動されるように構成されている。そして、スピンドルモータ２によって光ディスク３を定速で回転駆動しながら、対物レンズ８によってレーザビーム（光ビーム）を光ディスク３の下面側に収束させ、スレッドを光ディスク３の半径方向Ａに移送しながら、光ディスク３にデータ（情報）を記録及び／又は再生するように構成されている。
【００１４】
図５は、光ピックアップ７の光学回路の概要を示したものであって、光学素子（光学素子を含む光学部品）１０から出射されたレーザビームＬＢ１は光反射及び光透過型の素子１１及びミラー１２によって反射されて対物レンズ８によって光ディスク３の下面側に収束される。そして、光ディスク３で反射された反射光ＬＢ２が光反射素子１２で反射され、光反射及び光透過用素子１１を透過して集光レンズ１３によって受光素子（光学素子を含む光学部品）１４に受光されて、光ディスク３へのデータの記録及び／又は再生が行われる。
【００１５】
なお、２軸アクチュエータ９、発光素子１０及び受光素子１４等はスレッド４上に固定されているコネクター４５にフレキシブルプリント基板４６を介して接続され、そのコネクター４５から光ディスクドライブ装置５の定位置に固定されている駆動回路にフレキシブルプリント基板（何れも図示せず）によって接続されている。
【００１６】
本発明は、光学部品及び光学素子として受光素子１４を適用し、この受光素子１４をスレッド４に対して反射光ＬＢ２の光軸方向ＯＤに対して直角な方向であるＸ方向及びＹ方向と、光軸方向ＯＤであるＺ方向との３次元調整を行って固定する取付装置１６を提供するものである。
ここで、図３及び図４は、光ピックアップ７の外観を示したものであって、図１の（Ａ）（Ｂ）及び図２によって、本発明の取付装置１６の実施例１の詳細について説明する。
【００１７】
この取付装置１６の実施例１は、受光素子１４がマウントされた平板形状の調整プレート１７を有し、この調整プレート１４は例えば横長形状に形成され、その横長方向の両端には各一対のネジ挿通孔１８と治具クランプ部１９が形成されている。スレッド４の電気部品取付面である受光素子取付面２０が反射光ＬＢ２の光軸方向ＯＢに対して直角状に形成されていて、その受光素子取付面２０の中央には反射光ＬＢ２が透過される光透過孔２１が開口されている。その受光素子取付面２０で、光透過孔２１の両側には一対のネジ取付孔２２が形成されている。
【００１８】
そして、調整プレート１７と受光素子取付面２０との間に平板形状の位置決め部材２３が配置されていて、この位置決め部材２３の中央には光透過孔２４が形成され、両側にはネジ挿通孔２５が形成されている。
そして、一対の取付ネジ２６が調整プレート１７の一対のネジ挿通孔１８から位置決め部材２３の一対のネジ挿通孔２５を挿通してスレッド４の受光素子取付面２０の一対のネジ取付孔２２内に取り付けられることにより、この一対の取付ネジ２６によって調整プレート１７が位置決め部材２３を共締めするようにして受光素子取付面２０にネジ止め（固定）されるように構成されている。
【００１９】
なお、後述する受光素子１４のＸ方向及びＹ方向の位置調整を行えるように、調整プレート１７の一対のネジ挿通孔１８は真円孔で、かつ、一対の取付ネジ２６より大径のいわゆるバカ穴に形成されている。また、後述する位置決め部材２３の位置決めのための上下方向のスライド調整を行えるように、この位置決め部材２３の一対のネジ挿通孔２５は一対の取付ネジ２６の直径より大きい上下方向の長孔（バカ穴）に形成され、中央の光透過孔２４も同様の長孔に形成されている。
【００２０】
そして、スレッド４の受光素子取付面２０と位置決め部材２３との間には、位置決め部材２３を上下方向に移動調整することによって、この位置決め部材２３を光軸方向ＯＤへ移動調整するためのスライドカム構造２８が形成されている。
このスライドカム構造２８は、受光素子取付面２０の両側に角度θ１で斜め下向きに形成された一対の平行な斜面２９と、位置決め部材２３の両端に形成されて、受光素子取付面２０側へ突出された一対の傾斜部３０の受光素子取付面２０側に角度θ２で斜め上向きに形成された一対の平行な斜面３１とによって構成されている。但し、角度θ１＝θ２である。
【００２１】
なお、スレッド４に固着された板バネ３２に一体に形成された一対の押圧部３３によって位置決め部材２３の一対の傾斜部３０が一対の斜面３１側とは反対側から弾性的に押圧されることによって、位置決め部材２３が一対の平行な斜面３１によってスレッド４の一対の平行な斜面２９に所定の圧力で押圧されている。
【００２２】
この取付装置１６の実施例１は、以上のように構成されていて、発光素子１４をスレッド４の発光素子取付面２０へ取り付ける際には、図１の（Ａ）（Ｂ）に示すように、位置決め部材２３をスライドカム構造２８の各一対の平行な斜面２９、３１に沿って斜め下方である矢印ａ方向へスライド調整（下降）させて、この位置決め部材２３を発光素子取付面２０側へ接近させると共に、取付ネジ２６を矢印ｂ方向へ緩めて、調整プレート１７と位置決め部材２３との間に適当な隙間Ｇを形成する。
【００２３】
そして、図２に示すように、調整プレート１７の両端の治具クランプ部１９を図示省略した治具によってクランプして、その治具によって調整プレート１７と一体に受光素子１４を光軸方向ＯＤに対する直角な方向であるＸ方向及びＹ方向と、光軸方向ＯＤであるＺ方向との３次元の調整を行い、反射光ＯＢ２に対する受光素子１４のＸ方向及びＹ方向の位置調整（センターリング調整）と、Ｚ方向の位置調整（フォーカス調整）を行う。
【００２４】
次に、図１の（Ｂ）に示すように、位置決め部材２３を治具によってスライドカム構造２８の各一対の平行な斜面２９、３１に沿って斜め上方である矢印ｃ方向へスライド調整（上昇）して、その位置決め部材２３を調整プレート１７に矢印ｂ方向から当接させて、この位置決め部材２３によって受光素子取付面２０に対する調整プレート１７のＺ方向の間隔Ｄを規定する。
【００２５】
そして、最後に、一対の取付ネジ２６を矢印ｄ方向へ締結して、調整プレート１７によって位置決め部材２３をサンドイッチ状に共締めするようにして、調整プレート１７をスレッド４の受光素子取付面２０に固定する。そして、この後に、瞬間接着剤等を用いて一対の取付ネジ２６、調整プレート１７及び位置決め部材２３をスレッド４の受光素子取付面２０に固着して、一連の作業を終了する。
【００２６】
このように構成された取付装置１６の実施例１によれば、受光素子１４のＸ方向、Ｙ方向及びＺ方向の３次元調整後に、位置決め部材２３によって調整プレート１７を受光素子取付面２０に隙間のない状態に接続すること（換言すれば、調整プレート１７と受光素子取付面２０との間の隙間を位置決め部材２３で埋めてしまうこと）ができるので、その３次元調整後に、一対の取付ネジ２６で調整プレート１７をスレッド４の受光素子取付面２０に固定する際に、調整プレート１７を位置決め部材２３を介して発光素子取付面２０に簡単、かつ、高精度に固定することができる。
【００２７】
従って、受光素子１４の３次元調整後の固定を容易に行うことができ、設備の簡素化が容易になると共に、信頼性の向上を計ることができる。位置決め部材２３は受光素子取付面２０と調整プレート１７との間の小スペース内に組み込むことができるので、省スペース設計が可能であり、取付装置１６、光ピックアップ７、光ディスク装置１の小型化が可能である。
【００２８】
取付ネジ２６で位置決め部材２３を共締めしながら調整プレート１７を受光素子取付面２０に固定する際の位置決め部材２３の位置ずれ防止を計ることも可能である。
【実施例２】
【００２９】
次に、図７の（Ａ）（Ｂ）によって、本発明の取付装置１６の実施例２を説明する。
この場合は、図１の（Ａ）（Ｂ）及び図２で説明した取付装置１６の実施例１における一対の取付ネジ２６をスライドカム構造２８の各一対の平行な斜面２９、３１に対して直角な方向から固定するように構成したものである。この際、調整プレート１７の一対のネジ挿通孔１８の位置決め部材２３側とは反対側の外周に各一対の平行な斜面２９、３１と平行な斜面で形成された一対の取付ネジ押圧面３５が形成されている。
【００３０】
この取付装置１６の実施例２によれば、図７の（Ａ）に示すように、受光素子１４を調整プレート１７によってＸ方向、Ｙ方向及びＺ方向へ３次元調整した後に、図７の（Ｂ）に示すように、一対の取付ネジ２６を矢印ｄ方向へ締結して、位置決め部材２３を共締めしながら、調整プレート１７をスレッド４の受光素子取付面２０へ固定する際に、その一対の取付ネジ２６の締付力を各一対の平行な斜面２９、３１に直角状に加えることができる。
この結果、位置決め部材２３に一対の斜面２９、３１に沿った位置ずれを全く発生させることなく、受光素子１４を受光素子取付面２０へ正確に固定することができる。
【実施例３】
【００３１】
次に、図８（Ａ）（Ｂ）及び図９によって、本発明の取付装置１６の実施例３を説明する。
この場合は、スライドカム構造２８の受光素子取付面２０側と調整プレート１７との一対の斜面を、受光素子取付面２０に開口されている光透過孔２１の両側に角度θ１、θ２でラセン状に形成された各一対のラセン状斜面３７、３８によって構成したものである。
そして、位置決め部材２３の中央に形成された真円孔３９が受光素子取付面２０の中央に形成されている光透過孔２１の外周に一体に形成された円筒部４０の外周に挿入されて、この位置決め部材２３を円筒部４０の外周で受光素子取付面２０に対して軸方向であるＺ方向に移動自在であると共に、軸心の周りに矢印ｅ、ｆ方向に回転自在に構成されている。
【００３２】
この際、調整プレート１７側に一体成形した円筒部４０を受光素子取付面２０に形成されている光透過孔２１内に挿入することもでき、また、位置決め部材２３側に一体成形した円筒部４０を受光素子取付面の光透過孔２１内に軸方向に移動可能で、軸心の周りに回転自在に挿入することもできる。また、位置決め部材２３の両側に形成されている一対のネジ挿通孔２５は真円孔３９を中心とする円弧状の孔（バカ孔）に形成されている。
【００３３】
この取付装置１６の実施例３によれば、図８の（Ａ）に示すように、位置決め部材矢印ｅ方向へ回転して、スライドカム構造１８の各一対のラセン状斜面３８を受光素子取付面２０側の各一対のラセン状斜面３７に沿って矢印ｇ方向へスライド調整することにより、この位置決め部材２３を光素子取付面２０側へ接近せると共に、一対の取付ネジ２６を矢印ｂ方向へ緩めて、調整プレート１７と位置決め部材２３との間に適当な隙間Ｇを形成する。
【００３４】
そして、調整プレート１７の両端の治具クランプ部１９を図示省略した治具によってクランプして、その治具によって調整プレート１７と一体に受光素子１４の光軸方向ＯＤに対する直角な方向であるＸ方向及びＹ方向と、光軸方向ＯＤであるＺ方向との３次元の調整を行って、反射光ＯＢ２に対する受光素子１４のＸ方向及びＹ方向の位置調整（センターリング調整）と、Ｚ方向の位置調整（フォーカス調整）を行う。
【００３５】
次に、図８の（Ｂ）に示すように、位置決め部材２３を治具によって矢印ｆ方向へ回転調整して、スライドカム構造２８の各一対のラセン状斜面３８を受光素子取付面２０側の各一対のラセン状斜面３７に沿って矢印ｈ方向へスライド調整することにより、この位置決め部材２３を調整プレート１７に矢印ｂ方向から当接させて、この位置決め部材２３によって受光素子取付面２０に対する調整プレート１７のＺ方向の間隔Ｄを規定する。
【００３６】
そして、最後に、一対の取付ネジ２６を矢印ｄ方向へ締結して、調整プレート１７によって位置決め部材２３をサンドイッチ状に共締めするようにして、調整プレート１７をスレッド４の受光素子取付面２０に固定する。そして、この後に、瞬間接着剤等を用いて一対の取付ネジ２６、調整プレート１７及び位置決め部材２３をスレッド４の受光素子取付面２０に固着して、一連の作業を終了する。
【００３７】
このように構成された取付装置１６の実施例３によれば、スライドカム構造２８の各一対のラセン状斜面３７、３８が光透過孔２１（円筒部４０）の外周の両側にて互いに逆方向に傾斜されているので、一対の取付ネジ２６を締結する際に、位置決め部材２３に矢印ｅ又はｆ方向への回転力が全く発生しない。従って、図８の（Ａ）に示すように、受光素子１４を調整プレート１７によってＸ方向、Ｙ方向及びＺ方向へ３次元調整した後に、図８の（Ｂ）に示すように、一対の取付ネジ２６を矢印ｃ方向へ締結して、位置決め部材２を共締めしながら、調整プレート１７をスレッド４の受光素子取付面２０へ固定する際に、位置決め部材２３の光軸方向ＯＢの位置ずれが全く発生しない。
この結果、受光素子１４を受光素子取付面２０へ正確に固定することができる。
【産業上の利用の可能性】
【００３８】
以上、本発明の実施例について述べたが、本発明は光ディスク７、光磁気ディスクを用いた各種の光ディスク装置における各種の光学素子の取付装置に適用可能であり、更には、光ディスク装置以外における各種の光学部品の取付装置にも適用可能である。
【図面の簡単な説明】
【００３９】
【図１】本発明を光ディスク装置に適用した光学素子の取付装置の実施例１における要部を示した側面図である。
【図２】同上の要部の分解斜視図である。
【図３】同上の光ディスク装置の光ピックアップの外観の上面側を示した斜視図である。
【図４】同上の光ディスク装置の光ピックアップの外観の下面側を示した斜視図である。
【図５】同上の光ピックアップの光学回路を示した図面である。
【図６】同上の光ディスク装置の概要を示した側面図である。
【図７】本発明の光学素子の取付装置の実施例２における要部を示した側面図である。
【図８】本発明の光学素子の取付装置の実施例３における要部を示した側面図である。
【図９】同上の要部の分解斜視図である。
【符号の説明】
【００４０】
１    光ディスク装置
３    光学的記録媒体である光ディスク
４    取付本体や移動用取付本体であるスレッド
７    光ピックアップ
１４  光学部品や光学素子である受光素子
１６  取付装置
１７  調整プレート
２０  受光素子取付面
２３  位置決め部材
２６  取付ネジ
２８  スライドカム構造
２９  斜面
３１  斜面
３５  取付ネジ押圧面
３７  ラセン状斜面
３８  ラセン状斜面
４０  円筒部
【図１】
2005228424.tif 000003
【図２】
2005228424.tif 000004
【図３】
2005228424.tif 000005
【図４】
2005228424.tif 000006
【図５】
2005228424.tif 000007
【図６】
2005228424.tif 000008
【図７】
2005228424.tif 000009
【図８】
2005228424.tif 000010
【図９】
2005228424.tif 000011